(57)【要約】      【課題】  かつら用のネットであって、通気性を確保できる網目サイズを持ちながら、毛髪にボリューム感を持たせたり、多様なヘアデザインが作れるようにする。また、長期間の装着でも網目の形状が崩れたり破損しないようにする。      【解決手段】    円弧を交互に反転して連続させたフィラメント糸１０を４本平行に並べた１組をフィラメント糸部材帯１１とする。フィラメント糸部材帯１１を複数平行に配置し、相隣るフィラメント糸部材帯１１とは円弧の位相を半ピッチずつずらせる。フィラメント糸部材帯１１の互いに接近する円弧状部分のそれぞれを括り糸１２で括って略斜め格子状の粗い網目を持つ外側ネット５を形成する。括り糸１２で括った円弧状部分を平面状植毛部１３となし、略斜め格子状の網目の内側に略紡錘形状の開口部１４を画成する。      【選択図】  図１
2007247078.tif 000002
【特許請求の範囲】
【請求項１】
フィラメント糸を網目状に編んだかつら用ネットであって、
所定の曲げ形状を交互に反転して連続させたフィラメント糸を編成した部材を複数本平行に並べた１組をフィラメント糸部材帯とし、
該フィラメント糸部材帯を複数平行に配置するとともに、相隣るフィラメント糸部材帯とは半ピッチずつ位相をずらせて、
フィラメント糸部材帯の互いに接近する曲げ形状部分を結合手段でつないで網目状を構成するとともに、
前記結合部分を平面状植毛部となした
ことを特徴とするかつら用ネット。
【請求項２】
前記フィラメント糸部材帯が、３〜５本のいずれかの本数のフィラメント糸で構成されている
ことを特徴とする請求項１に記載のかつら用ネット。
【請求項３】
前記平面状植毛部のフィラメント糸部材帯と交差する方向の長さと、前記網目の内側に画成される開口部のフィラメント糸部材帯と交差する方向の長さとを略同一に設定した
ことを特徴とする請求項１または２に記載のかつら用ネット。
【請求項４】
前記フィラメント糸は、所定形状の円弧を交互に反転して連続させた波形である
ことを特徴とする請求項１〜３のいずれかに記載のかつら用ネット。
【請求項５】
前記結合手段は、前記接近する曲げ形状部分のフィラメント糸に絡ませた括り糸である
ことを特徴とする請求項１〜４のいずれかに記載のかつら用ネット。
【請求項６】
前記網目内の開口部は、装着者が指先を差し込んでその指先が頭皮に到達することができる大きさである
ことを特徴とする請求項１〜５のいずれかに記載のかつら用ネット。
【請求項７】
前記請求項１〜６のいずれかに記載のかつら用ネットを用いて形成された
ことを特徴とするかつら。 
【発明の詳細な説明】
【技術分野】
【０００１】
本発明は、通気性に優れ、長期間快適に装着可能で、毛髪の立ち上がりがよく、様々なヘアスタイルに対応可能なかつら用のネットと、このかつら用ネットを用いたかつらに関する。
【背景技術】
【０００２】
かつらは、土台となるかつらベースを頭部形状に合わせて形成し、このかつらベースに人毛や人工毛髪等の毛材を植設して構成されている。かつらベースに用いられる材料としては、一般に軟質合成樹脂シートを用いたいわゆる人工皮膚や、合成繊維などを編み込んだ編み地あるいはネットがよく知られている。このうち、かつらベースにネットを用いた従来例として、例えば、多数の六角形の網目を頭頂部にかけて次第に小さくなるように形成して、自毛が薄くなった人に適用できるようにしたかつら用ネット（例えば、特許文献１参照）や、網目の一部または全部を長方形に形成することによって、かつら装着者の自毛を引き出しやすくした自毛活用型のかつら（例えば、特許文献２参照）がある。
【０００３】
さらに、細糸部材を波形に湾曲させ、この細糸部材を半ピッチずつ位相をずらせて複数本並べるとともに、互いに接近する湾曲部分を括り糸でつなぐことにより、略斜め格子の網目を持たせて、略菱形の大きな開口部から自毛を引き出しやすくした自毛活用型のかつら（例えば、特許文献３参照）や、平面三角形や平面四角形の網目を編成することによって、毛髪にボリューム感を持たせつつ、スタイリングを容易にするかつらベース（例えば、特許文献４参照）も知られている。
【特許文献１】実開平４−１２７２１６号公報
【特許文献２】特開平９−３２４３１７号公報
【特許文献３】特開平１１−１０７０２４号公報
【特許文献４】特開平１１−９３０１０号公報
【発明の開示】
【発明が解決しようとする課題】
【０００４】
しかしながら、かつらベースにネットを用いた場合には、網目の大きさや形状によって毛材を植設できる場所と本数が限られるので、植設可能な毛材の本数（毛髪密度）とヘアスタイルが制限されることとなる。また、ある程度の毛髪量（毛髪密度）や所望のヘアスタイルを求める場合には、網目のサイズを極力小さくして毛材を植設できる箇所を増やす必要があるが、網目サイズを小さくすると、ネット状かつらベースの特性である通気性が損なわれ、長期間の使用では蒸れや痒みを起こす可能性がある。特に、最近は装着したままでも洗髪が可能なかつらが多数商品化されているが、網目サイズが小さいと指先が頭皮まで届かないために洗髪が充分に行えず、不衛生となりやすい。
【０００５】
一方、網目のサイズを粗く大きくした場合には、通気性が向上して上述のような不具合はなくなるが、逆に毛材を植設できる場所が少なくなり、かつら全体の毛髪量とヘアスタイルが制限されるだけでなく、かつらベースが外部から見えやすくなってかつらの装着が露見しやすいという欠点があり、前記した特許文献１〜４のいずれもこのような要求を満足するものではなかった。
そこで本発明は、通気性を確保できる網目サイズを持ちながら、毛材を植設したあとにボリュームを持たせることが可能で、さらに長期間の装着でも網目の形状が崩れたり破損することが少なく、耐久性に優れたかつら用ネットとこれを用いたかつらを提供することを目的としている。
【課題を解決するための手段】
【０００６】
上述の目的を達成するため、請求項１のかつら用ネットは、フィラメント糸を網目状に編んだかつら用ネットであって、所定の曲げ形状を交互に反転して連続させたフィラメント糸を編成した部材を複数本平行に並べた１組をフィラメント糸部材帯とし、該フィラメント糸部材帯を複数平行に配置するとともに、相隣るフィラメント糸部材帯とは半ピッチずつ位相をずらせて、フィラメント糸部材帯の互いに接近する曲げ形状部分を結合手段でつないで網目状を構成するとともに、前記結合部分を平面状植毛部となしたことを特徴としている。
【０００７】
請求項２の発明は、請求項１に記載のかつら用ネットにおいて、前記フィラメント糸部材帯が、３〜５本のいずれかの本数のフィラメント糸で構成されていることを特徴としている。請求項３の発明は、請求項１または２に記載のかつら用ネットにおいて、前記平面状植毛部のフィラメント糸部材帯と交差する方向の長さと、前記網目の内側に画成される開口部のフィラメント糸部材帯と交差する方向の長さとを略同一に設定したことを特徴としている。請求項４の発明は、請求項１〜３のいずれかに記載のかつら用ネットにおいて、前記フィラメント糸は、所定形状の円弧を交互に反転して連続させた波形であることを特徴としている。
【０００８】
請求項５の発明は、請求項１〜４のいずれかに記載のかつら用ネットにおいて、前記結合手段は、前記接近する曲げ形状部分のフィラメント糸に絡ませた括り糸であることを特徴としており、請求項６の発明は、請求項１〜５のいずれかに記載のかつら用ネットにおいて、前記網目内の開口部は、装着者が指先を差し込んでその指先が頭皮に到達することができる大きさであることを特徴としている。また、請求項７に記載のかつらでは、請求項１〜６のいずれかに記載のかつら用ネットを用いて形成されていることを特徴としている。
【０００９】
本発明は、平行な複数本のフィラメント糸の一部をある程度の面積にまとめてこれを平面状植毛部とするため、網目内の開口部に通気に足りる大きな面積を確保しつつ、毛材は平面状植毛部に集中して植設されるため、これをかつらに適用した場合には、かつら全体に必要充分な毛髪量が確保される。
特に、平面状植毛部のフィラメント糸部材帯と交差する方向の長さと、網目内の開口部のフィラメント糸部材帯と交差する方向の長さを略同一長とすることにより、植設に必要な面積と通気に必要な面積がバランスよく確保される。また、植設に必要な面積と通気に必要な面積をバランスよく確保するために、フィラメント糸部材帯を３〜５本のいずれかの本数のフィラメント糸で構成してもよく、より好ましくは、フィラメント糸部材帯を４本のフィラメント糸で構成するとよい。
【００１０】
平面状植毛部では、毛材がある程度接近した毛髪密度となり、互いに倒れを防ぐように植設されるため、ネットからの立ち上がりがよくなる。特に、結合手段を、互いに接近する曲げ形状部分のフィラメント糸に括り糸を絡ませる構成とすることにより、平面状植毛部のフィラメント糸が周方向の回動を規制され、かつフィラメント糸部材帯を構成するフィラメント糸部材同士が互いを支え合うので、平面状植毛部に植設された毛材の立ち上がりが一層よくなる。
フィラメント糸部材帯を構成するフィラメント糸は、所定形状の円弧を交互に反転して連続させた波形とすることにより、網目内の開口部が略紡錘形となり、装着者が外から指を入れて頭皮を掻いたり、自毛を引き出すのにも好適となる。
【発明の効果】
【００１１】
本発明によれば、かつら用ネットの各所に設定した平面状植毛部に所要本数の毛材を集中して植設できるので、網目内の開口部に通気性を保つのに足り得る大きな面積が確保できる。そして、このかつら用ネットをかつらに適用した場合には、かつらとして必要充分な毛髪量を確保しつつ、通気性をよく保って長期間の使用にも蒸れや痒みを極力防止でき、またこの開口部を通して自毛を外へ引き出すことも簡便に行える。さらに、植設箇所を平面状植毛部に集約した本発明は、開口部に装着者が外から指を入れて頭皮を掻いたりするのに充分な大きさが確保でき、特にかつらを装着したままでの洗髪に好適である。
また、平面状植毛部では、毛髪密度が高まって毛材の立ち上がりがよくなるのでボリューム感のあるかつらが得られ、しかも様々なヘアスタイルに対応することが可能となる。特に、結合手段を、互いに接近する曲げ形状部分のフィラメント糸に括り糸を絡ませる構成とすると、平面状植毛部のフィラメント糸が周方向の回動を規制されるので、平面状植毛部に植設された毛材の立ち上がりが一層よくなる。
【００１２】
さらに、平面状植毛部のフィラメント糸部材帯と交差する方向の長さと、網目内の開口部のフィラメント糸部材帯と交差する方向の長さを略同一長とすることにより、植設に必要な面積と通気に必要な面積をバランスよく確保して、平面状植毛部と開口部の持つ特性を充分に生かすことができる。また、植設に必要な面積と通気に必要な面積をバランスよく確保して、植毛した毛材の立ち上がりをよくするために、フィラメント糸部材帯を３〜５本のいずれかの本数のフィラメント糸で構成することが望ましい。
また、フィラメント糸部材帯を構成するフィラメント糸は、所定形状の円弧を交互に反転して連続させた波形とすることにより、網目内の開口部が略紡錘形となり、装着者が外から指を入れて頭皮を掻いたり、自毛を引き出すのにも好適となる。
【発明を実施するための最良の形態】
【００１３】
以下、本発明の形態例を図面に基づいて説明する。図中、図１はかつら用ネットの拡大正面図、図２は図１のかつら用ネットを適用したかつらを内側から見た図、図３はフィラメント糸部材帯のフィラメント糸を２本とした場合の説明図、図４は同じくフィラメント糸部材帯のフィラメント糸を６本とした場合の説明図、図５〜図９は図２のかつらの製作手順を示す説明図、図１０，図１１はそれぞれ本発明の他の形態例を示すかつら用ネットの要部概略図である。
【００１４】
図２に示すかつら１は、多数の毛材２と、該毛材２を植設するためのかつら用ネット３と、該かつら用ネット３の内側に付設される複数の留め具４とを備えている。かつら用ネット３は、毛材２を植設するための外側ネット５が全体形状を担う大きさで形成され、この外側ネット５の内側に、使用者の頭部への装着を主目的とした内側ネット６が付設されており、これらネット５，６の外周に縁飾りネット７が設けられている。
【００１５】
図１に拡大形状を示すように、外側ネット５は、所定の曲率を持つ円弧を交互に反転して連続させた波形のフィラメント糸１０を４本平行に並べた１組をフィラメント糸部材帯１１とし、このフィラメント糸部材帯１１を複数平行に配置するとともに、前記所定形状の円弧の長さを１ピッチとして、相隣るフィラメント糸部材帯１１とは円弧の位相を半ピッチ分ずつずらせ、かつ背中合わせに接近する円弧状部分を括り糸１２で括って略斜め格子状の粗い網目を構成し、括り糸１２で括った部分を平面状植毛部１３となすとともに、略斜め格子状の網目の内側に略紡錘形状の開口部１４を画成している。
また、内側ネット６は、外側ネット５の外周側に重合して設けられるリング状部６ａと、その内側で毛髪の分け目部分を担う分髪部６ｂとが、外側ネット５よりも細かな網目で一体に形成されている。
【００１６】
外側ネット５は、フィラメント糸部材帯１１と略紡錘形開口部１４の長軸（長さ）ａが装着者の前後方向となるようにかつら１に取り付けられている。平面状植毛部１３と開口部１４とは縦横に交互に連続しており、毛材２は平面状植毛部１３と平面状植毛部１３以外のフィラメント糸１０にも植設される。
開口部１４はネット内外の通気性を担うほか、装着者の自毛を開口部１４から外側へ引き出して毛髪量を増加したり、頭皮が痒い場合や洗髪する際にこの開口部１４から指先を入れて頭皮を掻くのに適している。特に本形態例は、開口部１４を紡錘形に形成してその長軸ａを装着者が頭皮を掻く方向と同じ前後方向へ配向したので、指先をフィラメント糸１０や平面状植毛部１３を引っ掛けないで済み、これらを損傷する虞が少ない。
【００１７】
フィラメント糸部材帯１１を構成するフィラメント糸１０の本数は、３〜５本のいずれかが適当であり、さらに好ましくは４本に設定するとよい。例えば、図３に示すようにフィラメント糸部材帯１１のフィラメント糸１０がそれぞれ２本の場合には、開口部１４の短軸（幅）ｂ１とこれに隣接する平面状植毛部１３の幅ｃ１とがｂ１＞ｃ１の関係となり、平面状植毛部１３の面積が開口部１４よりもかなり小さくなるため、植設可能な毛材２の本数が減少して毛髪密度が粗くなり、毛倒れが生じやすくなる。
さらに、小面積の平面状植毛部１３だけでは植設本数が足りないことから、平面状植毛部１３以外のフィラメント糸１０にも毛材２を植設することが必須となるが、フィラメント糸１０の本数が少ないと毛材２の植設本数もごくわずかに限られるため、毛倒れが生じてかつら用ネット３の露見につながる。
【００１８】
また図４に示すごとく、フィラメント糸部材帯１１のフィラメント糸１０を６本とした場合には、開口部１４の短軸（幅）ｂ２と平面状植毛部１３の幅ｃ２との関係がｂ２＜ｃ２となり、単位面積あたりの平面状植毛部１３が占める割合が相対的に大きくなり、その分外側ネット５に対する開口部１４の割合が小さくなる。したがって毛髪密度は増すが、開口部１４が小さくなる分、装着者が指を入れて頭皮を掻いたり自毛を引き出すことがむずかしくなる。
そこで、平面状植毛部１３と開口部１４とが持つ作用及び効果をバランスよく生かすには、図１に示す通り、開口部１４の短軸（幅）ｂ３と平面状植毛部１３の幅ｃ３とを略等しくすることが有効であり、フィラメント糸１０の本数を３〜５本の間で選択することが好ましく、さらに好ましくは本形態例のごとく４本とすることがよい。
【００１９】
以下の表１は、フィラメント糸部材帯１１を構成するフィラメント糸１０の本数の違いから性能を求めた試験結果で、フィラメント糸１０の本数を１〜６本の間で変えて、外側ネット５の開口部１４に指を入れて頭皮に触れたときの感触と、植設後の毛材２の立ち上がり具合を示している。この表１によれば、感触と立ち上がりの両面で４本が一番優れ、次いで３〜５本の性能が優れていることが確認できた。
【表１】
2007247078.tif 000003
【００２０】
本形態例のかつら用ネット３をかつら１に適用する場合に、外側ネット５のフィラメント糸部材帯１１は、隣り合うフィラメント糸１０，１０の間隔を１ｍｍ程度とすることが適当である。この間隔が１ｍｍより狭かったりフィラメント糸１０，１０同士が重なり合うと、植設した毛材２が特定の場所に密集して毛髪が固まって生えているように見えてしまうため不自然である。また、毛材２が過密であるとブラッシングの際に引っ掛かりを生じやすい。さらに、接合した縫い目の部分に生じる糸よれや毛材２を植設した部分の密集等によって外側ネット５に凹凸が発生じ、不自然なしわが出てしまって好ましくない。
一方、フィラメント糸１０，１０の間隔が１ｍｍよりも大きい場合には、単位面積あたりの平面状植毛部１３が占める割合が相対的に大きくなり、その分外側ネット５に対する開口部１４がの割合が小さくなる。したがって、図４で例示した６本以上のフィラメント糸１０と同様に、開口部１４の小さくなる分装着者が指を入れて掻いたり自毛を引き出すことがむずかしくなる。
【００２１】
したがって、フィラメント糸１０，１０の間隔を前述の１ｍｍ程度とすることにより、フィラメント糸１０，１０同士の密着や重なりによる毛材２の密集がなくなり、毛材２が適度にばらけて自然な生え具合を表現でき、さらにブラッシングの際の引っかかりや外側ネット５の凹凸の発生を防止できる。
【００２２】
また、本形態例のかつら用ネット３をかつら１に適用する場合に、外側ネット５の紡錘形の開口部１４の大きさは、長軸（長さ）ａを１６ｍｍ，短径（幅）ｃ３を８ｍｍ程度とすることが望ましく、その許容範囲は、長軸（長さ）ａを１６〜２８ｍｍ、短軸（幅）ｃ３を８〜１６ｍｍとすることが望ましい。
開口部１４の長軸ａと短軸ｃ３の長さを２８ｍｍ×１６ｍｍ以上とした場合に、単位面積あたりの平面状植毛部１３が占める割合が相対的に小さくなり、植設できる面積が少なくなることから毛髪量が少なくなり、ボリューム感がなくなるとともに表現できるヘアスタイルが制限されてしまう。
また、開口部１４の長軸ａと短軸の長さを１６ｍｍ×８ｍｍ以下とした場合に、開口部１４に指先を入れて掻くことがむずかしくなり、さらに自毛を引き出すことも容易ではなくなる。したがって、かつら装着者の指先の挿通を許容して、指先が装着者の地肌に到達させたり自毛を無理なく引き出すためには、開口部１４の長軸ａと短軸の長さを１６ｍｍ×８ｍｍ程度とすることがよい。
【００２３】
図５〜図９は、かつら用ネット３と、このかつら用ネット３を用いたかつら１の製作手順を示しており、まずこれらの製作にあたって２つの石膏型を用意する。図５に示す最初の工程では、一方の石膏型２０に外側ネット５を張り、該外側ネット５の下部全周を留め具２２にて固定する。そして、図６に示すもう他方の石膏型２１に、合成樹脂製のフィラメント糸を細かな格子状に編んだ内側ネット６を張り、該内側ネット６の下部全周を外側ネット５と同様留め具２２にて固定する。つぎに、これらのネット５，６を張った石膏型２０，２１の上に、それぞれ熱硬化性樹脂溶液を有機溶剤で希釈した溶液を塗布し、１００℃で約８時間加熱処理して双方のネット５，６を装着者の頭部形状に象る。
【００２４】
図７に示す工程では、外側ネット５と内側ネット６をそれぞれの石膏型２１，２２から外して、内側ネット６の上に外側ネット５を重ね合わせ、図８の工程で必要箇所をミシン糸で縫合したのち、内側ネット６の不要部分を切り落としてかつら用ネット３を完成する。
図９に示す工程では、かつら装着者の頭部形状をエポキシ樹脂等の熱硬化性樹脂で形成した型２３に上述のかつら用ネット３を張り、図示しない画鋲等の留め具で固定して、人毛あるいは人工毛等の毛材２を外側ネット５の所定位置に植設する。
この毛材２の植設は、鉤針の先に毛材２を引っ掛けて外側ネット５に巻回して結びつける結着による方法で行われ、結着箇所は平面状植毛部１３かこの平面状植毛部１３以外のフィラメント糸１０のみであり、括り糸１２には結着しない。毛材２の結着を終えたら成形型２３から取り外し、周縁部の不要な部分を切り落とすことにより、かつら１を完成する。
なお、本形態例では、かつら用ネットとしての本発明の特徴を外側ネット５に実施しており、内側ネット６は省略しても差し支えない。
【００２５】
本発明のかつら用ネットは、図１０，図１１のように形成することもできる。図１０に示す形態例のかつら用ネット３０は、略コ字状を交互に反転して連続させた形状のフィラメント糸３１を３本平行に並べた１組をフィラメント糸部材帯３２とし、該フィラメント糸部材帯３２を複数平行に配置するとともに、相隣るフィラメント糸部材帯３２とは半ピッチずつ位相をずらせ、さらにフィラメント糸部材帯３２の互いに接近する直線状の曲げ形状部分を括り糸１２でつないで千鳥格子状の網目状を構成し、括り糸１２で括った結合部分を平面状植毛部３３となし、網目の内側に矩形の開口部３４を画成している。
【００２６】
さらに、図１１に示す形態例のかつら用ネット４０は、略くの字状を交互に反転して連続させた形状のフィラメント糸４１を３本平行に並べた１組をフィラメント糸部材帯４２とし、該フィラメント糸部材帯４２を複数平行に配置するとともに、相隣るフィラメント糸部材帯４２とは半ピッチずつ位相をずらせ、さらにフィラメント糸部材帯４２の互いに接近する頂部形状部分を括り糸１２でつないで格子状の網目状を構成し、括り糸１２で括った結合部分を平面状植毛部４３となし、網目の内側に矩形の開口部４４を画成している。
【図面の簡単な説明】
【００２７】
【図１】本発明の一形態例を示すかつら用ネットの拡大正面図である。
【図２】図１のかつら用ネットを適用したかつらを内側から見た図である
【図３】フィラメント糸部材帯のフィラメント糸を２本とした場合の説明図である。
【図４】フィラメント糸部材帯のフィラメント糸を６本とした場合の説明図である。
【図５】図２のかつらの製作手順を示す説明図である。
【図６】図２のかつらの製作手順を示す説明図である。
【図７】図２のかつらの製作手順を示す説明図である。
【図８】図２のかつらの製作手順を示す説明図である。
【図９】図２のかつらの製作手順を示す説明図である。
【図１０】本発明の他の形態例を示すかつら用ネットの要部概略図である。
【図１１】本発明のさらに他の形態例を示すかつら用ネットの要部概略図である。
【符号の説明】
【００２８】
１…かつら
２…毛材
３，３０，４０…かつら用ネット
５…外側ネット
６…内側ネット
６ａ…リング状部
６ｂ…分髪部
１０，３１，４１…フィラメント糸
１１，３２、４２…フィラメント糸部材帯
１２…括り糸
１３，３３，３４…平面状植毛部
１４，３４，４４…開口部
２０，２１…石膏型
２２…留め具     
【図１】
2007247078.tif 000004
【図２】
2007247078.tif 000005
【図３】
2007247078.tif 000006
【図４】
2007247078.tif 000007
【図５】
2007247078.tif 000008
【図６】
2007247078.tif 000009
【図７】
2007247078.tif 000010
【図８】
2007247078.tif 000011
【図９】
2007247078.tif 000012
【図１０】
2007247078.tif 000013
【図１１】
2007247078.tif 000014